(57)【要約】【課題】商品の状態を適切に表示して、ユーザが分類に応じた管理をしやすい購入管理機能を提供する。【解決手段】電子機器は、入力手段と、前記入力手段におけるユーザからの操作指示に基づいて、前記第１の分類に登録されている第１の商品が新たに第２の分類に登録された場合、前記第１の商品の情報が含まれる前記第１の画像と、前記第１の商品の情報が追加された前記第２の画像とを表示し、前記第２の分類に登録されている第２の商品が新たに第３の分類に登録された場合、前記第２の商品の情報が削除された前記第２の画像と、前記第２の商品の情報が追加された前記第３の画像とを表示する表示手段と、を備えた。【選択図】図３
2018018246.tif 000002
【特許請求の範囲】
【請求項１】
ユーザからの操作指示を受け付ける入力手段と、
サーバによって第１の分類に登録された商品の情報が表示される第１の画像と、ユーザによって第２の分類に登録される商品の情報が表示される第２の画像と、ユーザによって第３の分類に登録される商品の情報が表示される第３の画像とを選択的に表示する表示手段であって、
前記入力手段におけるユーザからの操作指示に基づいて、前記第１の分類に登録されている第１の商品が新たに第２の分類に登録された場合、前記第１の商品の情報が含まれる前記第１の画像と、前記第１の商品の情報が追加された前記第２の画像とを表示し、
前記第２の分類に登録されている第２の商品が新たに第３の分類に登録された場合、前記第２の商品の情報が削除された前記第２の画像と、前記第２の商品の情報が追加された前記第３の画像とを表示する表示手段と、
を有する電子機器。
【請求項２】
前記表示手段は、前記第１の画像と、前記第２の画像と、前記第３の画像とをタブ表示によって切り替え可能に表示する請求項１に記載の電子機器。
【請求項３】
前記表示手段は、第１の分類に登録されている商品について商品個別の詳細情報が表示される第４の画像と、第２の分類に登録されている商品について商品個別の詳細情報が表示される第５の画像と、第３の分類に登録されている商品について商品個別の詳細情報が表示される第６の画像と、をそれぞれ表示する請求項１または２に記載の電子機器。
【請求項４】
前記第５の画像と前記第６の画像には、前記第４の画像にはない情報であってユーザが入力可能な情報が含まれている請求項３に記載の電子機器。
【請求項５】
前記第５の画像における前記ユーザが入力可能な情報の項目より、前記第６の画像における前記ユーザが入力可能な情報の項目の方が項目数が多い、請求項４記載の電子機器。
【請求項６】
前記第４の画像に含まれ、前記第１の分類に登録されている商品を新たに前記第２の分類に登録させるためにユーザが選択可能な画像要素の前記第４の画像上における相対位置と、前記第５の画像に含まれ、前記第２の分類に登録されている商品を新たに前記第３の分類に登録させるためにユーザが選択可能な画像要素の前記第５の画像上における相対位置とが異なる請求項３乃至５のいずれか一項に記載の電子機器。
【請求項７】
サーバによって第１の分類に登録された商品の情報が表示される第１の画像と、ユーザによって第２の分類に登録される商品の情報が表示される第２の画像と、ユーザによって第３の分類に登録される商品の情報が表示される第３の画像とを選択的に表示し、
ユーザからの操作指示に基づいて、前記第１の分類に登録されている第１の商品が新たに第２の分類に登録された場合、前記第１の商品の情報が含まれる前記第１の画像と、前記第１の商品の情報が追加された前記第２の画像とを表示し、
ユーザからの操作指示に基づいて、前記第２の分類に登録されている第２の商品が新たに第３の分類に登録された場合、前記第２の商品の情報が削除された前記第２の画像と、前記第２の商品の情報が追加された前記第３の画像とを表示する表示方法。
【請求項８】
入力部と表示部とを有する電子機器で実行されるプログラムであって、
サーバによって第１の分類に登録された商品の情報が表示される第１の画像と、ユーザによって第２の分類に登録される商品の情報が表示される第２の画像と、ユーザによって第３の分類に登録される商品の情報が表示される第３の画像とを選択的に、表示部に表示させ、
入力部によるユーザからの操作指示に基づいて、前記第１の分類に登録されている第１の商品が新たに第２の分類に登録された場合、前記第１の商品の情報が含まれる前記第１の画像と、前記第１の商品の情報が追加された前記第２の画像とを前記表示部に表示させ、
前記入力部によるユーザからの操作指示に基づいて、前記第２の分類に登録されている第２の商品が新たに第３の分類に登録された場合、前記第２の商品の情報が削除された前記第２の画像と、前記第２の商品の情報が追加された前記第３の画像とを前記表示部に表示させるプログラム。
【発明の詳細な説明】
【技術分野】
【０００１】
本発明は、ユーザの商品の購入管理を容易化する電子機器、表示方法、およびプログラムに関する。
【背景技術】
【０００２】
近年の情報化により、ユーザはネットワークを介して容易に商品の購入や商品の購入の管理を行うことができるようになってきており、スマートフォンなどの電子機器ではユーザの商品購入を補助できる機能の実装が検討されている。
【０００３】
例えば、ユーザが所定の店舗で商品を購入したいと考えている場合、電子機器がその店舗を予め記憶しておき、ユーザが当該店舗の近くの地域に来た場合には、この店舗情報をユーザに提示することでユーザの商品購入を補助する技術が開示されている（特許文献１を参照）。
【先行技術文献】
【特許文献】
【０００４】
【特許文献１】特開２００３−５８５７０号公報
【発明の概要】
【発明が解決しようとする課題】
【０００５】
また、商品購入管理のための機器やアプリケーションも検討されており、商品購入管理のための機器やアプリケーションでは、ユーザの購買したい商品に関する情報の管理機能や購入済みの商品の情報管理機能、またはユーザが求めるであろう商品のレコメンド（推奨）機能等を提供することでユーザの商品購入管理の補助を行う場合がある。
【０００６】
このような場合、これらの管理機能やレコメンド機能が全く別々のアプリケーションにより実現されると、ユーザにとってそれぞれの管理を行うことは煩わしいため、統合的なアプリケーションを提供することでユーザの利便性が向上することができる。
【０００７】
しかし、購入前の商品や購入後の消費等の異なるカテゴリの商品を混在させて表示すると、ユーザに混乱を起こさせる可能性があった。
【０００８】
本発明は、商品の状態を適切に表示して、ユーザが分類に応じた管理をしやすい購入管理機能を提供することを目的としている。
【課題を解決するための手段】
【０００９】
上述した課題を解決し、目的を達成するために、本発明の電子機器は、ユーザからの操作指示を受け付ける入力手段と、サーバによって第１の分類に登録された商品の情報が表示される第１の画像と、ユーザによって第２の分類に登録される商品の情報が表示される第２の画像と、ユーザによって第３の分類に登録される商品の情報が表示される第３の画像とを選択的に表示する表示手段であって、前記入力手段におけるユーザからの操作指示に基づいて、前記第１の分類に登録されている第１の商品が新たに第２の分類に登録された場合、前記第１の商品の情報が含まれる前記第１の画像と、前記第１の商品の情報が追加された前記第２の画像とを表示し、前記第２の分類に登録されている第２の商品が新たに第３の分類に登録された場合、前記第２の商品の情報が削除された前記第２の画像と、前記第２の商品の情報が追加された前記第３の画像とを表示する表示手段と、を備えた。
【発明の効果】
【００１０】
本発明は、商品の状態を適切に表示して、ユーザが分類に応じた管理をしやすい購入管理機能を提供することができる。
【図面の簡単な説明】
【００１１】
【図１】実施の形態１にかかるシステム構成の一例を示す図。
【図２】実施の形態１にかかる各機器の内部構成の一例を示す構成図。
【図３】実施の形態１にかかる購入管理機能をユーザに提供するための機能構成の一例を示す構成図。
【図４】実施の形態１にかかる購入管理アプリケーションが表示する画面の一例を示す図。
【図５】実施の形態１にかかる購入管理アプリケーションが表示する画面の一例を示す図。
【図６】実施の形態１にかかる購入管理アプリケーションが表示する画面の一例を示す図。
【図７】実施の形態１にかかる購入管理アプリケーションが表示する画面の一例を示す図。
【図８】実施の形態１にかかる購入管理アプリケーションが表示する画面の一例を示す図。
【図９】実施の形態１にかかる購入管理アプリケーションが表示する画面の一例を示す図。
【図１０】実施の形態１にかかる画面変更の一例を示す図。
【図１１】実施の形態１にかかる画面変更の一例を示す図。
【図１２】実施の形態１にかかる購入管理アプリケーションの処理の流れの一例を示すフローチャート。
【図１３】実施の形態１にかかる購入管理アプリケーションの処理の流れの一例を示すフローチャート。
【図１４】実施の形態１にかかる購入管理アプリケーションがサーバに送信するデータの一例を示す図。
【発明を実施するための形態】
【００１２】
以下に、本発明にかかる電子機器、表示方法、およびプログラムの実施の形態を図面に基づいて詳細に説明する。
実施の形態１
図１は、本実施形態におけるシステム構成の一例を示す図である。
【００１３】
図１には購入管理システム９００が示されている。購入管理システム９００は電子機器１、インターネット２、およびサーバ３により構成される。
【００１４】
本実施形態における電子機器１は例えばスマートフォンである。電子機器１は図１では図示しないアンテナを内蔵しており、このアンテナにより３Ｇ（3rd Generation）やＬＴＥ（Long Term Evolution）等の移動体通信網を介して他の電話機器との通話や、インターネット２への通信接続が可能である。
【００１５】
本実施形態では電子機器１の一例をスマートフォンとして説明するが、これに限定されず、デスクトップ型やラップトップ型のＰＣ（Personal Computer）や、タブレット型の情報処理装置、またはスマートフォンではない携帯電話や、他の外部機器との通信機能を有する電子機器等の種々の例が考えられる。
【００１６】
電子機器１は、映像を表示するディスプレイ１５１とディスプレイ１５１上に重畳して設けられ、ユーザからのタッチ入力を受け付けるタッチパネル１４２を有している。
【００１７】
また、筐体の一部にハードウェアボタン（以下、ＨＷボタンとも記載する）１４１が設けられており、ユーザはＨＷボタン１４１およびタッチパネル１４２によって、電子機器１への操作指示を行う（ＨＷボタン１４１、ッチパネル１４２は入力部として機能する）。
【００１８】
ディスプレイ１５１は、電子機器１の筐体から露出して設けられる、例えばＬＣＤ（Liquid Crystal Display）やＯＥＬＤ（Organic Electroluminescence Display）等の表示装置（表示部）である。
【００１９】
タッチパネル１４２は、例えば静電容量方式の接触検出装置であり、ディスプレイ１５１に重畳して設けられているが、ディスプレイ１５１に表示される映像を透過させ、ユーザに視認させることができる。
【００２０】
さらに、電子機器１にはマイク１６１とスピーカ１６２が設けられている。マイク１６１は集音機能を有するマイクロフォン（集音手段）であり、スピーカ１６２は音声を出力する機能を有する音声出力手段として機能する。
【００２１】
電子機器１はユーザの商品購入管理を補助するための機能が実装されており、サーバ３とインターネット２を介して接続し、情報を入手することで種々の機能をユーザに提供することができる。
【００２２】
サーバ３は、商品に関する情報や各ユーザに関する情報を有しており、これらの情報をインターネット２を介して電子機器１を含む各クライアント装置に送信する機能を有している。本実施形態では説明の簡単のためサーバ３が１つの装置として存在する場合を例示して説明を行うが、これに限定されず、サーバ３の機器や制御部、または内部のデータベースは複数に拡散して存在しているとしても良い。
【００２３】
次に、購入管理システム９００の各機器における内部構成について図２を参照しながら説明を行う。
【００２４】
図２は本実施形態における購入管理システム９００の各機器の内部構成を示すブロック図である。
【００２５】
電子機器１はＣＰＵ１１０、メモリ１２０、ストレージ１３０、入力制御部１４０、ＨＷボタン１４１、タッチパネル１４２、表示制御部１５０、ディスプレイ１５１、音声制御部１６０、マイク１６１、スピーカ１６２、通信部１７０、アンテナ１７１、およびバス１８０を有している。
【００２６】
ＣＰＵ１１０は電子機器１全体を制御する制御手段として機能する。ＣＰＵ１１０はストレージ１３０に格納された、ＯＳ１３１や購入管理アプリケーション１３２のプログラムを取得し、メモリ１２０に展開して、ＯＳ１３１や購入管理アプリケーション１３２にて規定された処理を実行する機能を有している。ＣＰＵ１１０は中央処理装置（Central Processing Unit）であり、情報を処理する機能を有するが、回路（Circuitry）、制御部（Controller）、処理部（Processor）等の種々の呼称にて呼ぶことができる。また、ＣＰＵ１１０はハードウェアとして一つの回路、制御部、または処理部で構成されている必要はなく、一つまたは複数の回路、制御部、または処理部にて構成される。
【００２７】
メモリ１２０は、例えばＲＡＭ(Random Access Memory)と呼ばれる揮発性の記憶装置（媒体）であり、ＣＰＵ１１０が各種プログラムを実行する際にプログラムを展開する領域や各種キャッシュ、バッファとして用いられる。
【００２８】
ストレージ１３０は、例えばHDD（Hard Disk Drive）、SSD（Solid State Disk）等の大容量の不揮発性記憶装置（媒体）であり、ＣＰＵ１１０が実行する各種プログラムを格納している。ストレージ１３０に記憶されているプログラムとしては本実施形態ではＯＳ１３１や購入管理アプリケーション１３２が含まれる。
【００２９】
ＯＳ１３１は電子機器１全体を制御する機能を有するオペレーティングシステム（Operating System）のプログラムである。
【００３０】
購入管理アプリケーション１３２は、ユーザの購入したい／購入した商品の管理や情報収集を行うためのアプリケーションプラグラムであり、このための種々機能を有している。この購入管理アプリケーション１３２については後述にて詳細に説明する。
【００３１】
入力制御部１４０は、例えばインターフェース回路でありＨＷボタン１４１やタッチパネル１４２によるユーザからの操作入力をＣＰＵ１１０に送信する機能を有している。つまり、入力制御部１４０、ＨＷボタン１４１、およびタッチパネル１４２は単独でまたは独立して入力手段として機能する。
【００３２】
表示制御部１５０は、例えばＧＰＵ（Graphic Processing Unit）であり、ＣＰＵ１１０からの指示に基づいて映像をディスプレイ１５１に表示するよう制御する機能を有している。
【００３３】
音声制御部１６０は制御を行う制御回路ある。音声制御部１６０は、マイク１６１で集音した音声信号をアナログ−デジタル変換し、ＣＰＵ１１０に送信する変換回路や、ＣＰＵ１１０から出力される音声信号をアナログ変換し、この回路を増幅して出力する音声合成回路も含む。
【００３４】
通信部１７０はアンテナ１７１によって、３ＧやＬＴＥ等の移動体通信網と通信を行う通信装置（回路）であり、これらの通信網を介してインターネット２との通信を行う機能を有している。本実施形態では移動体通信を例示して説明を行うが、当然これに限定されず、通信部１７０や例えばワイアレスＬＡＮ（Local Area Network）等の他の通信規格に準拠した通信を実行するとしても良い。
【００３５】
バス１８０は、接続される各構成を互いに通信可能に接続する機能を有している。
【００３６】
サーバ３はＣＰＵ３１０、メモリ３２０、ストレージ３３０、通信部３４０、およびバス３５０を有している。
【００３７】
ＣＰＵ３１０はサーバ３全体を制御する制御手段として機能するプロセッサである。また、電子機器１を含むクライアントからの各種要求に基づいてストレージ３３０に格納された情報を提供したり、更新したりする機能を有している。
【００３８】
メモリ３２０は、例えばRAMと呼ばれる揮発性の記憶装置（媒体）であり、ＣＰＵ３１０が各種プログラムを実行する際にプログラムを展開する領域や各種キャッシュ、バッファとして用いられる。
【００３９】
ストレージ３３０は、例えばHDD、SSD等の大容量の不揮発性記憶装置（媒体）であり、ＣＰＵ３１０が実行する各種プログラムや購入管理システム９００における各種情報が記憶されたＤＢ（Data Base）を格納している。このＤＢについては図３を用いて後述にて詳細に説明する。
【００４０】
通信部３４０は、送受信機や通信インターフェース回路であり、例えばＬＡＮ等を介してインターネット２と接続されており、インターネット２を介して電子機器１を含むクライアント機器の通信を実行することができる。
【００４１】
バス３５０は、接続される各構成を互いに通信可能に接続する機能を有している。
【００４２】
次に、購入管理システム９００によってユーザに提供される機能を実現するための構成について、詳細に説明する。
【００４３】
図３は、本実施形態において購入管理機能をユーザに提供するための機能構成の一例を示す構成図である。
【００４４】
購入管理アプリケーション１３２は、サーバ３と連携して商品の購入管理機能を提供する。例えば、各種商品に関するスペックや取扱説明書などのメーカ公式情報や、当該商品を購入可能な購入サイトの情報、および商品の口コミ情報を知ることのできる情報を表示してユーザに提供することができる。また、ユーザにレコメンド（推奨、おすすめ）する商品と、ユーザが購入検討対象としてお気に入りで登録している商品と、ユーザが購入した商品との情報を別々に（選択的に）表示することで、ユーザはそれぞれの商品の購入検討状況（カテゴリ、分類、段階、フェーズ、ステージ）について混乱することなく、商品状況を把握することができる（管理することができる）。
【００４５】
これらの機能を提供するための商品の情報や、ユーザに関する情報はサーバ３に格納されている。サーバ３のストレージ３３０にはこれらの情報のデータベースである商品情報ＤＢ（Data Base）３３２およびユーザ情報ＤＢ３３３が格納されている。
【００４６】
商品情報ＤＢ３３２には、アプリケーション提供業者またはデータベース提供業者によって登録された各商品に関する情報が記憶されている。商品情報ＤＢ３３２には、各商品に対応付けられて公式情報、購入サイト＆口コミ情報が記憶されている。
【００４７】
公式情報とは、例えば製品スペック情報、取扱説明書の情報、当該商品に関する製造又は販売元の公式サイトの情報、ＦＡＱ（Frequently Asked Questions）情報、修理依頼窓口情報、問い合わせフォーム／電話番号情報、関連するクラウドサービス（例：デジカメのメーカ公式画像共有サイト）情報等のことを呼ぶ。
【００４８】
また、購入サイト＆口コミ情報とは当該商品提供者が公式に提供した情報ではない情報、例えば当該商品を購入することのできる購入サイトの情報、当該商品についての口コミを見ることのできるサイトの情報、および当該商品に関する動画を見ることのできる動画サイトの情報、レビュー記事サイトの情報、価格比較サイトの情報、SNS（Social Networking Service ）、ブログ、SNSのハッシュタグ呼び出しに関する情報等のことを呼ぶ。
【００４９】
これらの情報は例えばＨＴＭＬ（HyperText Markup Language）等で規定された、直接これらをユーザに画像として提供することのできる情報であってもよいし、例えば各サイトのＵＲＬ（Uniform Resource Locator）の情報であってもよい。また、これらの情報は例えば本システムの提供者が図示しない情報機器を用いて手作業で入力されるとしてもよいし、例えば人工知能にて随時入力および入力をしていくような構成としておいてもよい。
【００５０】
ユーザ情報ＤＢ３３３には、購入管理システム９００に登録されているユーザに関する情報が記憶されている。ここでのユーザに関する情報とは、例えばユーザの名前や年齢等のユーザ本人に関する情報と、ユーザがお気に入り登録している商品や、購入した商品に関する情報等のユーザと商品とが対応付けられた情報とを含む。
【００５１】
ＤＢ管理部３３１は、商品情報ＤＢ３３２およびユーザ情報ＤＢ３３３を管理する機能を有しており、図示しない入力装置や、インターネット２を介して通信している各クライアントからの要求に応じて各ＤＢを更新したり、ＤＢ内の情報を提供したりする機能を有している。またこのＤＢ管理部３３１はストレージ３３０に格納されていたＤＢ管理プログラムをＣＰＵ３１０が実行することによって実現される。
【００５２】
次に、商品の購入管理機能を実現するための電子機器１の構成について説明する。購入管理アプリケーション１３２はＣＰＵ１１０によってメモリ１２０に展開されて実現され、各種ハードウェアと連携して機能を実現する。
【００５３】
購入管理アプリケーション１３２はアプリケーション制御部１３３、情報更新部１３４、情報取得部１３５、および画面生成部１３６を有している。
【００５４】
アプリケーション制御部１３３は、購入管理アプリケーション１３２を統合的に制御する機能を有している。例えばタッチパネル１４２を介してユーザより購入管理アプリケーション１３２の起動指示を受けると、購入管理アプリケーション１３２が立ち上がり、アプリケーション制御部１３３は情報取得部１３５に対してサーバ３の商品情報ＤＢ３３２、ユーザ情報ＤＢ３３３から各種情報を取得するように指示する。
【００５５】
情報取得部１３５は通信部１７０を介してサーバ３より上記の情報を取得する機能を有している。また、情報取得部１３５は取得した情報をアプリケーション制御部１３３および画面生成部１３６に送ることができる。
【００５６】
情報取得部１３５が情報を取得したことを確認すると、アプリケーション制御部１３３は画面生成部１３６に対して各種画面の生成指示を行う。
【００５７】
画面生成部１３６は、各種画面の映像情報を生成し、表示制御部１５０に送ることでディスプレイ１５１に画面を表示する機能を有している。つまり、アプリケーション制御部１３３、画面生成部１３６、および表示制御部１５０は単独でまたは独立して表示手段として機能する。上述の各種画面については後述にて詳細に説明する。
【００５８】
情報更新部１３４は、サーバ３のユーザ情報ＤＢ３３３を更新する機能を有している。タッチパネル１４２を介してユーザより所定の操作がなされると、アプリケーション制御部１３３は情報更新部１３４に対して、ユーザ情報ＤＢ３３３の情報の更新を指示し、情報更新部１３４は通信部１７０を介してユーザ情報ＤＢ３３３の更新を実行する。
【００５９】
本実施形態では、上述のように多くのデータがサーバ３上で管理され更新される。購入管理アプリケーション１３２はこの情報を随時取得して機能を達成するように例示して説明しているが、これに限定されず、例えば商品情報ＤＢ３３２およびユーザ情報ＤＢ３３３の全部または一部を購入管理アプリケーション１３２で有する構成としてもよい。
【００６０】
また、購入管理アプリケーション１３２起動時に各種情報をサーバ３より取得する構成として説明したが、前回起動時または終了時の情報を記憶しておき、最初はこの情報を用いて画像を表示するようにしてもよい。この場合、サーバ３からの情報取得のための時間をスキップできるので、起動から情報表示までの時間を短縮することができる。
【００６１】
次に購入管理アプリケーション１３２が表示する各種画面について説明する。
【００６２】
図４〜９は購入管理アプリケーション１３２が表示する画面の一例を示す図である。
【００６３】
購入管理アプリケーション１３２は、複数の商品の概要情報が表示される商品一覧画面と各商品についての詳細情報が表示される商品詳細画面をそれぞれユーザに提供する。購入管理アプリケーション１３２は、商品一覧画面である商品が選択された場合、選択された商品についての商品詳細画面を表示する構成となっている。
【００６４】
例えば、図４には商品一覧画面４００が表示されている。商品一覧画面４００には「オススメ！」タブ４１１と、「お気に入り」タブ４１２と、「購入済み」タブ４１３の３つのタブが表示されており、図４における商品一覧画面４００では「オススメ！」タブ４１１が選択されている。「オススメ！」タブ４１１が選択されているとき、タブの下には「オススメ！」リスト４２０（第１の画像）が表示されている。「オススメ！」リスト４２０は、購入管理システム９００がユーザに対して推奨する商品を表示するリストであり、商品の概要情報と商品の写真が表示されている。この推奨商品は全ユーザに一括して同じ商品を提示するとしても良いし、例えばユーザのお気に入り登録された商品や購入済みの商品の傾向等に基づいて、好みにあう商品を検索してユーザ個別に推奨するとしてもよい。この推奨する商品は購入管理システム９００の提供業者により決定され、サーバ３によって登録が行われる。
【００６５】
上記の「オススメ！」タブ４１１、「お気に入り」タブ４１２、「購入済み」タブ４１３にはそれぞれ商品が割り当てられており、購入管理アプリケーション１３２は各タブが選択されるとそれぞれのカテゴリ（購入検討状況）に割り当てられた商品のリストを表示する。異なるカテゴリに割り当てられた商品はタブ表示によって選択的に表示されるので、ユーザは各カテゴリに割り当てられている商品を混乱することなく認識することができる。
【００６６】
また、商品一覧画面４００の「オススメ！」リスト４２０の中には「お気に入り登録」ボタン４２１が表示されている。ユーザはこの「お気に入り登録」ボタン４２１を選択することで、対象の商品を「お気に入り」カテゴリに登録することができる。
【００６７】
次に、商品詳細画面について説明する。購入管理アプリケーション１３２は図４の「オススメ！」リスト４２０に表示された各商品を選択すると、その商品に関する商品詳細画面を表示する。例えば図４の「オススメ！」リスト４２０の一番上に表示されたノート型ＰＣをユーザが選択する（タッチする）と、購入管理アプリケーション１３２は図５の商品詳細画面５００（第４の画像）を表示する。
【００６８】
商品詳細画面５００には、商品概要情報５１０、公式情報５２０、購入サイト＆口コミ情報５３０、および「お気に入り登録」ボタン５４０が表示される。
【００６９】
商品詳細画面５００の上部には選択された商品のカテゴリ名「オススメ！」と共に商品概要情報５１０が表示されている。本実施形態の商品概要情報５１０では商品のカテゴリ（ノート型ＰＣ）、型番情報（Ｘ６４３冬モデル ）、製造会社（Ａ社）、および商品の写真が表示されている。
【００７０】
公式情報５２０には、例えば製品スペック情報、取扱説明書の情報、当該商品に関する製造又は販売元の公式サイトの情報、ＦＡＱ情報、修理依頼窓口情報、問い合わせフォーム／電話番号情報、関連するクラウドサービス（例：デジカメのメーカ公式画像共有サイト）情報等が含まれる。
【００７１】
購入サイト＆口コミ情報５３０には、当該商品提供者が公式に提供した情報ではない情報、例えば当該商品を購入することのできる購入サイトの情報、当該商品についての口コミを見ることのできるサイトの情報、および当該商品に関する動画を見ることのできる動画サイトの情報、レビュー記事サイトの情報、価格比較サイトの情報、SNS、ブログ、SNSのハッシュタグ呼び出しに関する情報等が含まれる。
【００７２】
「お気に入り登録」ボタン５４０は、ユーザが選択することによってこの商品をお気に入り登録するためのボタンである。図４における「お気に入り登録」ボタン４２１と同等の機能を有している。また、本実施形態における商品詳細画面５００では、商品概要情報５１０の右下の位置にこの「お気に入り登録」ボタン５４０が配置されている。
【００７３】
次に「お気に入り」カテゴリに登録された商品の表示画面について説明する。
【００７４】
図６は、「お気に入り」タブ４１２の「お気に入り」リスト４３０が表示された商品一覧画面４００の一例である。
【００７５】
「お気に入り」タブ４１２が選択されている場合、購入管理アプリケーション１３２は「お気に入り」カテゴリに登録されている商品のリスト表示である「お気に入り」リスト４３０（第２の画像）を表示する。「お気に入り」リスト４３０では各商品について「購入済み登録」ボタン４３１が設けられている。ユーザは「お気に入り」カテゴリに登録されている商品を購入した場合、「購入済み登録」ボタン４３１を押すことで、この商品を「購入済み」カテゴリに移すことができる。
【００７６】
また、「お気に入り」リスト４３０の下方には「新規お気に入り登録」ボタン４３２が設けられており、ユーザがこの「新規お気に入り登録」ボタン４３２を選択し、登録したい商品についての情報を入力すると、新規に「お気に入り」カテゴリに商品を登録することができる。新規された商品は、「お気に入り」リスト４３０の中に商品情報が追加される。
【００７７】
「お気に入り」リスト４３０の中の１つの商品をユーザが選択すると、購入管理アプリケーション１３２は商品詳細画面を表示する。
【００７８】
図７は、「お気に入り」カテゴリに登録された商品の商品詳細情報を示す商品詳細画面６００（第５の画像）である。商品詳細画面６００には、商品概要情報６１０、公式情報６２０、購入サイト＆口コミ情報６３０、ユーザ登録情報６４０、および「購入済み登録」ボタン６５０が表示される。
【００７９】
商品概要情報６１０、公式情報６２０、および購入サイト＆口コミ情報６３０には図５と同様に対象商品に関する、概要情報、公式情報、および購入サイト＆コミに関する情報がそれぞれ表示されている。
【００８０】
ユーザ登録情報６４０は、ユーザがこの商品に関して登録した情報が表示されている。ここで表示される情報としては、商品に関するユーザのメモやお気に入りのページのＵＲＬ等が含まれる。
【００８１】
「購入済み登録」ボタン６５０は、「お気に入り」カテゴリに登録されている商品を「購入済み登録」カテゴリに移すためのボタンであり、ユーザは「購入済み登録」ボタン６５０を選択することで、この商品を「購入済み」カテゴリに移すことができる。この機能は図６の「購入済み登録」ボタン６５０と同様である。
【００８２】
本実施形態における商品詳細画面６００では、「購入済み登録」ボタン６５０は商品概要情報６１０の左下の位置に配置されている。図５の「オススメ！」カテゴリにおける商品詳細画面５００では、商品概要情報５１０の右下の位置に「お気に入り」カテゴリに登録するための「お気に入り登録」ボタン５４０が表示されていたが、「お気に入り」カテゴリの商品詳細情報を表示する商品詳細画面６００では「購入済み」カテゴリに登録するための「購入済み登録」ボタン６５０が商品概要情報６１０の左下の位置に表示されている。これらのボタンは商品を次のカテゴリに登録するためのボタンである、機能としては類似したボタンであるが、それぞれ異なる位置に表示することによって、ユーザにそれぞれのカテゴリを混同させないように構成されている。換言すれば、画面上同じ位置に表示されていると、ユーザが登録したくないカテゴリに対して商品を登録してしまうというミスが発生する可能性があるため、これを避けるため商品詳細画面上の異なる位置にこれらのボタンを配置している。
【００８３】
次に、「購入済み」カテゴリに登録された商品の表示画面について説明する。
【００８４】
図８は「購入済み」タブ４１３の「購入済み」リスト４４０が表示された商品一覧画面４００の一例である。
【００８５】
「購入済み」タブ４１３が選択されている場合、購入管理アプリケーション１３２は「購入済み」カテゴリに登録されている商品のリスト表示である「購入済み」リスト４４０（第３の画像）を表示する。
【００８６】
「購入済み」リスト４４０の下方には「新規購入済み登録」ボタン４４１が設けられており、ユーザがこの「新規購入済み登録」ボタン４４１を選択し、登録したい商品についての情報を入力すると、新規に「購入済み」カテゴリに商品を登録することができる。新規された商品は「購入済み」リスト４４０の中に商品情報が追加される。
【００８７】
「購入済み」リスト４４０の中の１つの商品をユーザが選択すると、購入管理アプリケーション１３２は商品詳細画面を表示する。
【００８８】
図９は、「購入済み」カテゴリに登録された商品の商品詳細情報を示す商品詳細画面７００（第６の画像）である。商品詳細画面７００には、商品概要情報７１０、公式情報７２０、購入サイト＆口コミ情報７３０、およびユーザ登録情報７４０が表示される。
【００８９】
商品概要情報７１０、公式情報７２０、および購入サイト＆口コミ情報７３０には図５、７と同様に対象商品に関する、概要情報、公式情報、および購入サイト＆コミに関する情報がそれぞれ表示されている。
【００９０】
ユーザ登録情報７４０は、ユーザがこの商品に関して登録した情報が表示されている。ここで表示される情報としては、図７の説明の際に記載した、商品に関するユーザのメモやお気に入りのページのＵＲＬ等に加えて、商品の購入日、購入価格、保証期限、写真等が含まれている。
【００９１】
ユーザ登録情報は、「オススメ！」カテゴリにおける商品詳細情報には含まれず、「お気に入り」カテゴリ、「購入済み」カテゴリにおける商品詳細情報には含まれる。これは、ユーザに推奨された時点の「オススメ！」カテゴリにおける商品に対しては特にユーザが登録する情報はなく、「お気に入り」カテゴリ、「購入済み」カテゴリに移行するにつれて、ユーザが登録したい情報が増えてくると考えられるためである。換言すると、ユーザは意識することなく、必要なタイミングで必要なユーザ情報を購入管理システム９００に登録することができる。
【００９２】
本実施形態における購入管理アプリケーション１３２では「オススメ！」カテゴリ、「お気に入り」カテゴリ、または「購入済み」カテゴリとして各商品を表示する。「オススメ！」カテゴリとして表示されている商品には、商品一覧画面４００および商品詳細画面５００のそれぞれにおいて、「お気に入り登録」ボタン４２１、５４０が表示されており、ユーザはこれを選択することで、「お気に入り」カテゴリに商品を登録することができる。また、
「お気に入り」カテゴリで表示されている商品には、商品一覧画面４００および商品詳細画面６００のそれぞれにおいて、「購入済み登録」ボタン４３１、６３０が表示されており、ユーザはこれを選択することで、商品を「お気に入り」カテゴリから「購入済み」カテゴリに移すことができる。
【００９３】
購入管理アプリケーション１３２では、それぞれ商品のカテゴリの登録（割り当て）の状況に応じて、それぞれ適切な表示を実行する。これについて、図１０、図１１を用いて表示形態の違いを説明する。
【００９４】
図１０、図１１は本実施形態における画面変更の一例を示す図である。
【００９５】
図１０は、「オススメ！」カテゴリで表示されている商品が「お気に入り」カテゴリに登録された場合の画面変更の例である。
【００９６】
例えば、商品一覧画面４００または商品詳細画面５００においてノート型ＰＣの「お気に入り登録」ボタン４２１、５４０がユーザにタッチされた（選択された）場合（上図）、このノート型ＰＣは「お気に入り」カテゴリに登録されるため、「お気に入り」タブ４１２の画面である「お気に入り」リスト４３０に追加される（右下図）。しかし、このノート型ＰＣは「オススメ！」タブ４１１の「オススメ！」リスト４２０からは削除されない（左下図）。ユーザは「オススメ！」タブ４１１と「お気に入り」タブ４１２をそれぞれ選択するとそれぞれのリストでノート型ＰＣを確認することができる。尚、その際「オススメ！」リスト４２０のノート型ＰＣの概要表示には「お気に入り登録」ボタン４２１は表示されなくなっている。このとき、表示をしなくなるのみではなく「お気に入り登録済みです」等の、「お気に入り」カテゴリに登録されたことを示す旨のコメントを表示するとしてもよい。
【００９７】
「オススメ！」リスト４２０に表示されている商品は、購入管理アプリケーション１３２の提供者側から推奨される商品の情報であり、「お気に入り」カテゴリに登録させたからといって、「オススメ！」カテゴリから削除する必要はないという考えに基づいて、購入管理アプリケーション１３２はこのような表示を行う。ユーザは商品を「お気に入り」カテゴリに登録した後も、その商品がどれくらいの期間「オススメ！」カテゴリに残っているかを確認することもでき、その商品の購入管理アプリケーション１３２の提供者側からの推奨度合も把握することができる。
【００９８】
次に、ある商品が「お気に入り」カテゴリから「購入済み」カテゴリに移った場合の表示例について説明する。
【００９９】
図１１は、「お気に入り」カテゴリで表示されている商品が「購入済み」カテゴリに移った場合の画面変更の例である。
【０１００】
商品一覧画面４００または商品詳細画面６００においてノート型ＰＣの「購入済み登録」ボタン４３１、６５０がユーザにタッチされた（選択された）場合（上図）、このノート型ＰＣは「お気に入り」カテゴリから「購入済み」カテゴリに移るため、「購入済み」タブ４１３の画面である「購入済み」リスト４４０に追加される（右下図）。ここで、このノート型ＰＣは「お気に入り」タブ４１２の「お気に入り」リスト４３０から削除される（左下図）。
【０１０１】
一般的にユーザが商品を気に入った場合、まず「お気に入り」カテゴリに登録して、購入検討した上で「購入済み」カテゴリに移すことが考えられる。つまり、商品のカテゴリは「お気に入り」カテゴリから「購入済み」カテゴリに発展的に変更され、「お気に入り」カテゴリと「購入済み」カテゴリの両方に登録されている必要は高くない。そこで、本実施形態では「お気に入り」カテゴリから「購入済み」カテゴリに移された商品は「購入済み」カテゴリのみで表示され、「お気に入り」カテゴリには表示されなくなる。
【０１０２】
つまり、ある商品が第１の分類（カテゴリ）である「オススメ！」カテゴリとして表示されている場合、この商品を第２の分類（カテゴリ）である「お気に入り」カテゴリに登録すると、この商品は第１の分類（カテゴリ）である「オススメ！」カテゴリに属する商品として、また第２の分類（カテゴリ）である「お気に入り」カテゴリに属する商品として表示される。さらに、この商品が第３の分類（カテゴリ）である「購入済み」カテゴリに登録されると、この商品は第２の分類（カテゴリ）である「お気に入り」カテゴリに属する商品からは削除され、また第３の分類（カテゴリ）である「購入済み」カテゴリに属する商品として表示される。
【０１０３】
このように、購入管理アプリケーション１３２がそれぞれの分類（カテゴリ）に属する商品を選択的に表示するが、第１の分類（カテゴリ）に登録されている商品が第２の分類（カテゴリ）に登録されると、第１および第２の分類（カテゴリ）の商品としてこの商品を表示し、第２の分類（カテゴリ）に登録されている商品が第３の分類（カテゴリ）に登録されると、第２の分類（カテゴリ）の商品としてはこの商品を表示せず、第３の分類（カテゴリ）の商品としてこの商品を表示する。それぞれの分類（カテゴリ）は選択的に表示されているので、ユーザはそれぞれの分類（カテゴリ）に属している商品を容易に認識することができ、ある分類（カテゴリ）にある商品が別の分類（カテゴリ）に登録される際、それぞれの分類（カテゴリ）の登録に適した表示を行うため、ユーザはそれぞれの分類（カテゴリ）に登録されている商品を的確に認識することができる。
【０１０４】
次に、本実施形態における処理フローを説明する。
【０１０５】
図１２は、本実施形態における購入管理アプリケーション１３２の処理の流れの一例を示すフロー図である。
【０１０６】
まず、ユーザによるアプリケーション起動指示をＯＳ１３１が受け付けると、ＯＳ１３１は購入管理アプリケーション１３２を起動する（ステップＳ１１）。
【０１０７】
購入管理アプリケーション１３２が起動すると、アプリケーション制御部１３３はＩＤ（Identifier）等のユーザを特定する情報を指定して、情報取得部１３５に情報取得の指示を行い、情報取得部１３５は通信部１７０を介してユーザを特定する情報と共にデータ送信要求を送信し、サーバ３の商品情報ＤＢ３３２およびユーザ情報ＤＢ３３３より商品情報およびユーザ情報を取得する（ステップＳ１２）。この取得する情報はＨＴＭＬのような表示用のデータであってもよいし、ＸＭＬ（Extensible Markup Language）のような構造化されたデータであってもよい。
【０１０８】
情報取得部１３５が情報を取得すると、アプリケーション制御部１３３は画面生成部１３６に映像を生成するように指示し、画面生成部１３６は情報取得部１３５が取得した情報に基づいて、例えば図４〜９に示すような表示画面を作成し、ディスプレイ１５１に表示する（ステップＳ１３）。例えば、ＨＴＭＬのような表示用のデータを取得した場合、公知のブラウザ用描画モジュール（ＨＴＭＬレンダリングエンジン等）を使って画面データを生成し表示する。また、ＸＭＬのようにそのまま表示できる形式のデータでない場合はデータ構造から各データの種別を特定し、データ種別に合わせて、テンプレートとして予め用意された表示用データにデータを埋め込んで画面データを生成する。また、画面生成部１３６は「オススメ！」カテゴリにおける商品詳細情報５００では「お気に入り登録」ボタン５４０を生成して表示し、商品詳細画面６００には「購入済み登録」ボタン６５０を生成して表示する。この処理のとき、前述したように画面生成部１３６は商品詳細情報５００の画像上における「お気に入り登録」ボタン５４０の相対位置と、商品詳細画面６００における「購入済み登録」ボタン６５０の相対位置とを異ならせる。これによりユーザの混乱や操作ミスを防止することができる。
【０１０９】
次に、アプリケーション制御部１３３はユーザからの表示商品やユーザ情報に関する情報入力があるか否かを判別する（ステップＳ１４）。情報入力があった場合（ステップＳ１４：Ｙｅｓ）、アプリケーション制御部１３３は、ユーザ情報ＤＢ３３３を更新するように情報更新部１３４に指示を行い、指示を受けた情報更新部１３４はユーザを特定する情報と共に入力された情報を通信部１７０を介して送信し、サーバ３のユーザ情報ＤＢ３３３を更新する（ステップＳ１５）。情報更新部１３４がサーバ３のユーザ情報ＤＢ３３３を更新すると処理フローはステップＳ１２に戻り、商品情報、ユーザ情報を取得して表示画面を作成するフローに戻る。このように処理することにより、更新されたユーザ情報のみでなく、随時アップデートされる商品情報ＤＢ３３２の商品情報についても、高い更新頻度でユーザに提供する表示情報を更新することができる。  ステップＳ１４において情報入力がなかった場合（ステップＳ１４：Ｎｏ）、アプリケーション制御部１３３はアプリケーションの終了指示をユーザから受けたか否かを判別する（ステップＳ１６）。
【０１１０】
ステップＳ１６において終了指示を受け付けない間（ステップＳ１６：Ｎｏ）、処理はステップＳ１４に戻り、ステップＳ１６において終了指示を受け付けた場合（ステップＳ１６：Ｙｅｓ）、アプリケーション制御部１３３はアプリケーションの終了処理を実行し、処理フローは終了となる。
【０１１１】
次に、図１２のステップ１５の更新処理の一例として、商品のカテゴリ登録指示を受けた場合の処理フローについて図１３を用いて説明する。
【０１１２】
図１３は、本実施形態における商品のカテゴリ登録指示を受けた場合の購入管理アプリケーション１３２の処理の流れの一例を示すフロー図である。
【０１１３】
まず、購入管理アプリケーション１３２のアプリケーション制御部１３３は図１２のステップＳ１４でユーザから入力された情報が、あるカテゴリの商品について他のカテゴリへの登録指示であるか否かを判別する（ステップＳ２１）。
【０１１４】
カテゴリの登録指示を受けた場合（ステップＳ２１：Ｙｅｓ）、アプリケーション制御部１３３はその登録が「オススメ！」カテゴリであった商品の「お気に入り」カテゴリの登録であるか否かを判別する（ステップＳ２２）。
【０１１５】
登録が「オススメ！」カテゴリであった商品の「お気に入り」カテゴリの登録である場合（ステップＳ２２：Ｙｅｓ）、アプリケーション制御部１３３は情報更新部１３４を介してサーバ３にユーザ情報ＤＢ３３３を更新するためのデータを送信する。
【０１１６】
ここで送信するデータの一例を図１４に示す。カテゴリの新規登録に関してユーザ情報ＤＢ３３３更新のためにサーバ３に送信されるデータはユーザＩＤ８１、商品ＩＤ８２、およびカテゴリ情報８３を含む。ユーザＩＤ８１はユーザのＩＤ情報であり、商品ＩＤは各商品のＩＤ情報である。またカテゴリ情報８２は新規に登録されるカテゴリの情報であって本実施形態では「お気に入り」、「購入済み」のカテゴリ情報である。ユーザがある商品のカテゴリについて新規登録を行う場合には、これらの情報を送信すると本実施形態では説明しているが、これに限定されない。例えば、他の情報を追加して送信するとしても良いし、複数の商品に関しての新規登録情報を一括して送信するとしても良い。他の情報を追加する場合には図１４に示すデータ構造にさらに情報が追加され、複数の新規登録情報を一括して送信する場合には、複数の商品ＩＤとカテゴリの情報がそれぞれ対応づけられて、図１４に示す送信情報に追加されることとなる。
【０１１７】
送信後または送信前に、アプリケーション制御部１３３は画面生成部１３６に指示し、商品の情報を「オススメ！」リスト４２０に残した状態で、「お気に入り」リスト４３０にこの商品情報を追加する（ステップＳ２３）。
【０１１８】
登録が「オススメ！」カテゴリであった商品の「お気に入り」カテゴリの登録でなかった場合（ステップＳ２２：Ｎｏ）、本実施形態において、あるカテゴリの商品について他のカテゴリへの登録指示は「オススメ！」カテゴリ→「お気に入り」カテゴリへの登録指示と、「お気に入り」→カテゴリ「購入済み」カテゴリの登録指示しか存在しないため、この登録指示は「お気に入り」→カテゴリ「購入済み」カテゴリの登録指示であるとアプリケーション制御部１３３は判断し、ユーザＩＤ、商品ＩＤおよびカテゴリが対応付けられたデータを情報更新部１３４に送信させると共に、画面生成部１３６に指示して、商品の情報を「お気に入り」リスト４３０から削除し、「購入済み」リスト４４０にこの商品情報を追加する（ステップＳ２４）。
【０１１９】
ステップＳ２１において登録指示でない場合（ステップＳ２１：Ｎｏ）、アプリケーション制御部１３３は他の情報入力に対する更新処理を行う。本処理の終了後、およびステップＳ２３、ステップＳ２４の終了後、本処理フローは終了となる。
【０１２０】
以上、本発明について実施の形態をもとに説明した。これらの実施の形態の各構成要素や各処理プロセスの組み合わせにいろいろな変形例が可能なことは、言うまでもない。
【符号の説明】
【０１２１】
９００…購入管理システム、１…電子機器、２…インターネット、３…サーバ、１１０…ＣＰＵ、１２０…メモリ、１３０…ストレージ、１３１…ＯＳ、１３２…購入管理アプリケーション、１３３…アプリケーション制御部、１３４…情報更新部、１３５…情報取得部、１３６…画面生成部、１４０…入力制御部、１４１…ＨＷボタン、１４２…タッチパネル、１５０…表示制御部、１５１…ディスプレイ、１６０…音声制御部、１６１…マイク、１６２…スピーカ、１７０…通信部、１７１…アンテナ、１８０…バス、３１０…ＣＰＵ、３２０…メモリ、３３０…ストレージ、３３１…ＤＢ管理部、３３２…商品情報ＤＢ、３３３…ユーザ情報ＤＢ、３４０…通信部、３５０…バス
【図１】
2018018246.tif 000003
【図２】
2018018246.tif 000004
【図３】
2018018246.tif 000005
【図４】
2018018246.tif 000006
【図５】
2018018246.tif 000007
【図６】
2018018246.tif 000008
【図７】
2018018246.tif 000009
【図８】
2018018246.tif 000010
【図９】
2018018246.tif 000011
【図１０】
2018018246.tif 000012
【図１１】
2018018246.tif 000013
【図１２】
2018018246.tif 000014
【図１３】
2018018246.tif 000015
【図１４】
2018018246.tif 000016
【手続補正書】
【提出日】平成29年10月18日(2017.10.18)
【手続補正１】
【補正対象書類名】明細書
【補正対象項目名】０００９
【補正方法】変更
【補正の内容】
【０００９】
上述した課題を解決し、目的を達成するために、本発明の電子機器は、サーバから推奨された商品の分類である第１の分類に登録された商品の情報が表示される第１の画像と、ユーザの購入検討対象の商品の分類である第２の分類に登録される商品の情報が表示される第２の画像と、ユーザの購入した商品の分類である第３の分類に登録される商品の情報が表示される第３の画像とを、第１の画像と対応した第１の画像部品、第２の画像と対応した第２の画像部品、第３の画像と対応した第３の画像部品の順に並んだ画像部品へのユーザからの操作指示に基づいて選択的に表示する表示手段であって、
入力手段におけるユーザからの操作指示に基づいて、第１の分類に登録されている第１の商品が新たに第２の分類に登録された場合、第１の商品の情報が含まれる第１の画像と、第１の商品の情報が追加された第２の画像とを表示し、
第２の分類に登録されている第２の商品が新たに第３の分類に登録された場合、第２の商品の情報が削除された第２の画像と、第２の商品の情報が追加された第３の画像とを表示する表示手段と、を備えた。
【手続補正２】
【補正対象書類名】特許請求の範囲
【補正対象項目名】全文
【補正方法】変更
【補正の内容】
【特許請求の範囲】
【請求項１】
ユーザからの操作指示を受け付ける入力手段と、
サーバから推奨された商品の分類である第１の分類に登録された商品の情報が表示される第１の画像と、ユーザの購入検討対象の商品の分類である第２の分類に登録される商品の情報が表示される第２の画像と、ユーザの購入した商品の分類である第３の分類に登録される商品の情報が表示される第３の画像とを、前記第１の画像と対応した第１の画像部品、前記第２の画像と対応した第２の画像部品、前記第３の画像と対応した第３の画像部品の順に並んだ画像部品へのユーザからの操作指示に基づいて選択的に表示する表示手段であって、
前記入力手段におけるユーザからの操作指示に基づいて、前記第１の分類に登録されている第１の商品が新たに第２の分類に登録された場合、前記第１の商品の情報が含まれる前記第１の画像と、前記第１の商品の情報が追加された前記第２の画像とを表示し、
前記第２の分類に登録されている第２の商品が新たに第３の分類に登録された場合、前記第２の商品の情報が削除された前記第２の画像と、前記第２の商品の情報が追加された前記第３の画像とを表示する表示手段と、
を有する電子機器。
【請求項２】
前記画像部品はタブ表示である請求項１に記載の電子機器。
【請求項３】
前記表示手段は、第１の分類に登録されている商品について商品個別の詳細情報が表示
される第４の画像と、第２の分類に登録されている商品について商品個別の詳細情報が表
示される第５の画像と、第３の分類に登録されている商品について商品個別の詳細情報が
表示される第６の画像と、をそれぞれ表示する請求項１または２に記載の電子機器。
【請求項４】
前記第５の画像と前記第６の画像には、前記第４の画像にはない情報であってユーザが
入力可能な情報が含まれている請求項３に記載の電子機器。
【請求項５】
前記第５の画像における前記ユーザが入力可能な情報の項目より、前記第６の画像にお
ける前記ユーザが入力可能な情報の項目の方が項目数が多い、請求項４記載の電子機器。
【請求項６】
前記第４の画像に含まれ、前記第１の分類に登録されている商品を新たに前記第２の分
類に登録させるためにユーザが選択可能な画像要素の前記第４の画像上における相対位置
と、前記第５の画像に含まれ、前記第２の分類に登録されている商品を新たに前記第３の
分類に登録させるためにユーザが選択可能な画像要素の前記第５の画像上における相対位
置とが異なる請求項３乃至５のいずれか一項に記載の電子機器。
【請求項７】
サーバから推奨された商品の分類である第１の分類に登録された商品の情報が表示される第１の画像と、ユーザの購入検討対象の商品の分類である第２の分類に登録される商品の情報が表示される第２の画像と、ユーザの購入した商品の分類である第３の分類に登録される商品の情報が表示される第３の画像とを、前記第１の画像と対応した第１の画像部品、前記第２の画像と対応した第２の画像部品、前記第３の画像と対応した第３の画像部品の順に並んだ画像部品へのユーザからの操作指示に基づいて選択的に表示し、
ユーザからの操作指示に基づいて、前記第１の分類に登録されている第１の商品が新たに第２の分類に登録された場合、前記第１の商品の情報が含まれる前記第１の画像と、前記第１の商品の情報が追加された前記第２の画像とを表示し、
ユーザからの操作指示に基づいて、前記第２の分類に登録されている第２の商品が新たに第３の分類に登録された場合、前記第２の商品の情報が削除された前記第２の画像と、前記第２の商品の情報が追加された前記第３の画像とを表示する表示方法。
【請求項８】
入力部と表示部とを有する電子機器で実行されるプログラムであって、
サーバから推奨された商品の分類である第１の分類に登録された商品の情報が表示される第１の画像と、ユーザの購入検討対象の商品の分類である第２の分類に登録される商品の情報が表示される第２の画像と、ユーザの購入した商品の分類である第３の分類に登録される商品の情報が表示される第３の画像とを、前記第１の画像と対応した第１の画像部品、前記第２の画像と対応した第２の画像部品、前記第３の画像と対応した第３の画像部品の順に並んだ画像部品へのユーザからの操作指示に基づいて選択的に、表示部に表示させ、
入力部によるユーザからの操作指示に基づいて、前記第１の分類に登録されている第１の商品が新たに第２の分類に登録された場合、前記第１の商品の情報が含まれる前記第１の画像と、前記第１の商品の情報が追加された前記第２の画像とを前記表示部に表示させ、前記入力部によるユーザからの操作指示に基づいて、前記第２の分類に登録されている第２の商品が新たに第３の分類に登録された場合、前記第２の商品の情報が削除された前記第２の画像と、前記第２の商品の情報が追加された前記第３の画像とを前記表示部に表示させるプログラム。